(57)【要約】複合ネットワークは、ネットワーク種類の異なる複数のネットワークを介して、ユーザ機器間で同時に複数の接続を提供する。同じユーザ機器に属する異なるネットワーク種類の通信セションに関して、相関があるかどうかのチェックが複合呼インジケータ（ＣＣＩ）と称する識別子を導入することにより可能になる。このＣＣＩ識別子と既知の発呼線ＩＤ（ＣＬＩ）識別子とを組み合わせることにより、ユーザ機器、他のエンティティおよびネットワークエンティティが、進行中またはこれから確立されるＣＳの呼とＰＳセションとの間の相関があるかどうかのチェックを実施することが可能になる。関連する通信セションをセットアップするユーザ機器は、着信ユーザ機器またはネットワークエンティティに向かう通信セションのセットアップ中に、ＣＣＩ識別子をセットし、ＣＣＩ識別子を提供する。その着信ユーザ機器またはネットワークエンティティは、ＣＣＩ識別子の存在によって、最後に着信した通信セションが以前確立したセションと相関するかどうかのチェックを行うことが可能になる。
2008508753.tif 000002
【特許請求の範囲】
【請求項１】
異なるタイプのネットワークである２つ以上のネットワーク（１１，１２，１３）を有した通信システム内に相関手段を備える方法であって、
前記ネットワーク（１１，１２，１３）は少なくとも第１のユーザ機器（１）とネットワークエンティティ（２，３４）とに接続されており、前記第１のユーザ機器と前記ネットワークエンティティ（２，３４）とは前記ネットワークに対して夫々がネットワークアドレスに関係付けられた複数のネットワーク接続部（１Ａ，１Ｂ，１Ｃ、２Ａ，２Ｂ，２Ｃ，３４，３４Ｂ，３４Ｃ）をもち、
前記方法は、
第１のタイプのネットワーク（１１）を介して、前記第１のユーザ機器（１）と前記ネットワークエンティティ（２，３４）の内の一方による、前記第１のユーザ機器（１）と前記ネットワークエンティティ（２，３４）の内の他方に対する第１の通信セションをセットアップする工程と、
第２のタイプのネットワーク（１２，１３）を介して、前記第１のユーザ機器（１）と前記ネットワークエンティティ（２，３４）の内の一方による、前記第１のユーザ機器（１）と前記ネットワークエンティティ（２，３４）の内の他方に対する第２の通信セションをセットアップする工程とを有し、
前記第２の通信セションをセットアップする工程は、前記ネットワークエンティティ（２，３４）に第１のユーザ機器（１）の第１のネットワークタイプのネットワークアドレス（１Ａ，１Ｂ，１Ｃ）である呼のセション識別子を提供することを含み、
前記第１と第２の通信セションは異なるタイプのネットワークに存在することを特徴とする方法。
【請求項２】
前記第１の通信セションをセットアップする工程は、
前記ネットワークエンティティ（２，３４）に複合呼インジケータ（ＣＣＩ）を提供し、前記第１の通信セションが前記第２の通信セションと相関していることを示すことを特徴とする請求項１に記載の方法。
【請求項３】
前記第２の通信セションをセットアップする工程はさらに、
前記ネットワークエンティティ（２，３４）に複合呼インジケータ（ＣＣＩ）を提供し、前記第２の通信セションが前記第１の通信セションと相関していることを示すことを特徴とする請求項１又は２に記載の方法。
【請求項４】
前記第１の通信セションのセットアップは、前記第２の通信セションのセットアップの前に実行されることを特徴とする請求項１乃至３のいずれか１項に記載の方法。
【請求項５】
前記第１の通信セションのセットアップは、前記第２の通信セションのセットアップの後に実行されることを特徴とする請求項１乃至３のいずれか１項に記載の方法。
【請求項６】
前記第１の通信セションのセットアップは、前記第２の通信セションのセットアップと実質的に同時に実行されることを特徴とする請求項１乃至３のいずれか１項に記載の方法。
【請求項７】
前記ＣＣＩを提供する工程は、前記第１のユーザ機器（１）により実行され、
前記ＣＣＩは前記ネットワークエンティティ（２，３４）或は相関ノード（５）に対して提供されることを特徴とする請求項２乃至６のいずれか１項に記載の方法。
【請求項８】
前記ＣＣＩを提供する工程は、前記ネットワークエンティティ（２，３４）により実行され、
前記ＣＣＩは前記第１のユーザ機器（１）或は相関ノード（５）に対して提供されることを特徴とする請求項２乃至７のいずれか１項に記載の方法。
【請求項９】
前記ＣＣＩを提供する工程は、相関ノード（５）により実行され、
前記相関ノード（５）が前記第１の通信セションと前記第２の通信セションとの間に相関を検出したときには、前記ＣＣＩは、前記第１のユーザ機器（１）、前記ネットワークエンティティ（２，３４）、或は、課金サブシステム（４０）や認証サブシステム（４１）のようなサブシステム（４０，４１）に対して提供されることを特徴とする請求項２乃至８のいずれか１項に記載の方法。
【請求項１０】
前記第１のユーザ機器（１）或は前記ネットワークエンティティ（２，３４）が、前記第１の通信セションと前記第２の通信セションとが相関があると見なされているというメッセージを前記相関ノード（５）に送信することを特徴とする請求項７乃至９のいずれか１項に記載の方法。
【請求項１１】
前記第１のユーザ機器（１）或は前記ネットワークエンティティ（２，３４）は、前記ＣＣＩを受信時、前記確立された第１或は第２の通信セションについて検証を行うことを特徴とする請求項２乃至１０のいずれか１項に記載の方法。
【請求項１２】
前記第１の通信セション或は前記第２の通信セションが実際に確立されていることが検証されるとき、前記第１のユーザ機器或は前記ネットワークエンティティ（２，３４）は前記第１の通信セションと前記第２の通信セションとの間の相関を判断することを特徴とする請求項１１に記載の方法。
【請求項１３】
前記呼のセション識別子は、前記第１のユーザ機器（１）或は前記相関ノード（５）により提供されることを特徴とする請求項７乃至１２のいずれか１項に記載の方法。
【請求項１４】
前記呼のセション識別子は、前記第１のユーザ機器（１）の第１のネットワークタイプのネットワークアドレスを有することを特徴とする請求項２乃至１３のいずれか１項に記載の方法。
【請求項１５】
前記ネットワークエンティティ（２，３４）は第２のユーザ機器（２）或はコンテンツサーバのようなネットワークサービスノード（３４）であることを特徴とする請求項１乃至１４のいずれか１項に記載の方法。
【請求項１６】
前記第１或は第２のユーザ機器（１，２）は、各接続されたネットワーク（１１，１２，１３）に対する少なくとも１つの接続部をもつユーザ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項１乃至１５のいずれか１項に記載の方法。
【請求項１７】
前記第１或は第２のユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項１乃至１６のいずれか１項に記載の方法。
【請求項１８】
前記端末は、音声、オーディオ、ビデオ、電子メール、或はデータのような通信セションを、電話、ヘッドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項１７に記載の方法。
【請求項１９】
前記ユーザ機器（１，２）は前記ネットワーク（１１，１２，１３）への有線接続部、或は前記ネットワーク（１１，１２，１３）への無線接続部を有することを特徴とする請求項１６乃至１８のいずれか１項に記載の方法。
【請求項２０】
前記ネットワーク（１１，１２，１３）と前記関係するネットワークアドレスとは、回線交換（ＣＳ）ネットワークタイプのものと、パケット交換（ＰＳ）ネットワークタイプのものとの内、少なくともいずれかのものであることを特徴とする請求項１乃至１９のいずれか１項に記載の方法。
【請求項２１】
前記ネットワーク（１０）はＣＳタイプのものであり、
前記ネットワークアドレスは、移動体統合サービスデジタル通信網（ＭＳＩＳＤＮ）番号、公衆交換電話網（ＰＳＴＮ）番号、仮想私設網（ＶＰＮ）私設番号、或は国際電気通信連合（ＩＴＵ）勧告Ｅ．１６４に準拠した番号のような電話加入者番号であることを特徴とする請求項２０に記載の方法。
【請求項２２】
前記ネットワークアドレスは、ＳＩＰのユニフォーム・リソース・インジケータ（ＵＲＩ）、インターネットプロトコル（ＩＰ）アドレス、或は、イーサネット（登録商標）ＭＡＣアドレスのような構内ネットワーク（ＬＡＮ）のメディアアドレス制御（ＭＡＣ）層アドレスのようなＰＳネットワーク識別子或は番号であることを特徴とする請求項２０に記載の方法。
【請求項２３】
発呼線識別子（ＣＬＩ）は、前記第１のユーザ機器（１）、前記第２のユーザ機器（２）、或は、前記ネットワークサービスノード（３４）のネットワークアドレスを含み、
前記ネットワークアドレスは前記第１のネットワークタイプのものであることを特徴とする請求項１５乃至２２のいずれか１項に記載の方法。
【請求項２４】
前記ＣＬＩはＳＩＰ  Ｉｎｖｉｔｅメッセージのヘッダに含まれることを特徴とする請求項２３に記載の方法。
【請求項２５】
前記ＣＬＩはＳＩＰ  Ｉｎｖｉｔｅメッセージの“Ｆｒｏｍ”ヘッドに含まれるようにＳＩＰ  ＵＲＩとしてフォーマットされることを特徴とする請求項２３又は２４に記載の方法。
【請求項２６】
前記ユーザ機器（１，２）におけるＩＰマルチメディアシステム（ＩＭＳ）のアプリケーションは、前記第１或は第２の通信セションのセットアップにおいて前記ＣＬＩを生成し送信することを特徴とする請求項２３乃至２５のいずれか１項に記載の方法。
【請求項２７】
異なるタイプのネットワークである２つ以上のネットワーク（１１，１２，１３）を有した通信システム内で動作するユーザ機器（１）であって、
前記ユーザ機器（１，２）は前記２つ以上のネットワーク（１１，１２，１３）に対して、夫々がネットワークアドレスに関係付けられた複数のネットワーク接続部（１Ａ，１Ｂ，１Ｃ）をもち、
前記ユーザ機器（１）は、
前記複数のネットワーク接続部（１Ａ，１Ｂ，１Ｃ）により前記２つ以上のネットワーク（１１，１２，１３）に通信接続された入出力（Ｉ／Ｏ）ユニット（１０１）を有し、
プログラム記憶部（１０２Ａ）とメモリユニット（１０３）とに格納されたアプリケーションプログラムを動作させる処理ユニット（１０２）と協働する前記Ｉ／Ｏユニットは、第１の通信セションと第２の通信セションとをセットアップし、ネットワークエンティティ（２，３４）に、前記ユーザ機器（１）のネットワークアドレス（１Ａ，１Ｂ，１Ｃ）である呼のセション識別子を提供し、通信セションを受け入れ、前記呼のセション識別子を受信格納し、前記ネットワークエンティティ（２，３４）或はネットワークノード（５）に照会を行うように構成されることを特徴とするユーザ機器。
【請求項２８】
前記ネットワークエンティティ（２，３４）に複合呼インジケータ（ＣＣＩ）識別子を提供し、前記複合呼インジケータ（ＣＣＩ）を受信するようにさらに構成されていることを特徴とする請求項２７に記載のユーザ機器。
【請求項２９】
前記Ｉ／Ｏユニット（１０１）は前記ネットワーク（１１，１２，１３）を介して、前記ネットワークエンティティ（２，３４）のネットワークアドレスを取り出し、該情報を前記メモリユニット（１０３）に格納するようにさらに構成されていることを特徴とする請求項２７又は２８に記載のユーザ機器。
【請求項３０】
前記プログラム記憶部（１０２Ａ）を備える前記処理ユニット（１０２）は、前記ネットワークエンティティ（２，３４）或は相関ノード（５）に対して照会を行い、異なるタイプのネットワーク（１１，１２，１３）に存在する前記第１の通信セションと前記第２の通信セションの存在を検証するようにさらに構成されていることを特徴とする請求項２７乃至２９のいずれか１項に記載のユーザ機器。
【請求項３１】
アプリケーションプログラムがロードされた前記処理ユニット（１０２）は、前記第１の通信セションと前記第２の通信セションとの間の相関を判断し、前記第１の通信セションと前記第２の通信セションとの間に相関があると判断するとき、前記アプリケーションプログラムを実行するようにさらに構成されていることを特徴とする請求項３０に記載のユーザ機器。
【請求項３２】
前記ユーザ機器（１）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項２７乃至３１のいずれか１項に記載のユーザ機器。
【請求項３３】
前記ユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項２７乃至３２のいずれか１項に記載のユーザ機器。
【請求項３４】
前記端末は、音声、オーディオ、ビデオ、電子メール、或はデータのような通信セションを、電話、ヘッドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項３２又は３３に記載のユーザ機器。
【請求項３５】
前記ユーザ端末（１）は前記ネットワーク（１１，１２，１３）への有線接続部、或は前記ネットワーク（１１，１２，１３）への無線接続部を有することを特徴とする請求項３２乃至３４のいずれか１項に記載のユーザ機器。
【請求項３６】
前記ネットワーク（１１，１２，１３）と前記関係するネットワークアドレスとは、回線交換（ＣＳ）ネットワークタイプのものと、パケット交換（ＰＳ）ネットワークタイプのものとの内、少なくともいずれかのものであることを特徴とする請求項２７乃至３５のいずれか１項に記載のユーザ機器。
【請求項３７】
前記ネットワークアドレスは、ＣＳタイプのネットワークアドレスであり、移動体統合サービスデジタル通信網（ＭＳＩＳＤＮ）番号、公衆交換電話網（ＰＳＴＮ）番号、仮想私設網（ＶＰＮ）私設番号、或は、国際電気通信連合（ＩＴＵ）勧告Ｅ．１６４に準拠した番号のような電話加入者番号であることを特徴とする請求項２７乃至３６のいずれか１項に記載のユーザ機器。
【請求項３８】
前記ネットワークアドレスは、ＳＩＰのユニフォーム・リソース・インジケータ（ＵＲＩ）、インターネットプロトコル（ＩＰ）アドレス、或は、イーサネット（登録商標）ＭＡＣアドレスのような構内ネットワーク（ＬＡＮ）のメディアアドレス制御（ＭＡＣ）層アドレスのようなＰＳネットワーク識別子或は番号であることを特徴とする請求項２７乃至３６のいずれか１項に記載のユーザ機器。
【請求項３９】
異なるタイプのネットワークである２つ以上のネットワーク（１１，１２，１３）を有した通信システムにおいて動作し、前記２つ以上のネットワークに対して夫々がネットワークアドレスに関係付けされた複数のネットワーク接続部（３４Ａ，３４Ｂ，３４Ｃ）をもつ相関ノード装置（５）であって、
前記相関ノード装置（５）は、前記複数のネットワーク接続部（５Ａ，５Ｂ、５Ｃ）により前記ネットワーク（１１，１２，１３）に通信接続された入出力（Ｉ／Ｏ）ユニット（５０１）を有し、
プログラム記憶部（５０２Ａ）とメモリユニット（５０３）とに格納されたアプリケーションプログラムを動作させる処理ユニット（５０２）と協働する前記Ｉ／Ｏユニット（５０１）は、ユーザ機器（１）或はネットワークエンティティ（２，３４）に、前記ユーザ機器（１）の第１のネットワークタイプのネットワークアドレス（１Ａ，１Ｂ，１Ｃ）である呼のセション識別子を提供し、前記呼のセション識別子を受信格納するように構成されることを特徴とする相関ノード装置。
【請求項４０】
前記ユーザ機器（１）或は前記ネットワークエンティティ（２，３４）に複合呼インジケータ（ＣＣＩ）識別子を提供し、前記複合呼インジケータ（ＣＣＩ）を受信するようにさらに構成されていることを特徴とする請求項３９に記載の相関ノード装置。
【請求項４１】
前記ユーザ機器（１）と前記ネットワークエンティティ（２，３４）との間の２つ以上の前記第１の通信セションと前記第２の通信セションとの間の相関を判断するようにさらに構成され、
前記第１の通信セションと前記第２の通信セションとは異なるタイプのネットワークに存在することを特徴とする請求項３９又は４０に記載の相関ノード装置。
【請求項４２】
前記相関ノード装置（５）は、夫々がネットワークアドレスをもつインタフェース（５Ａ，５Ｂ，５Ｃ）により、複数のネットワーク（１１，１２，１３）に通信接続された入出力（Ｉ／Ｏ）ユニット（５０１）を有し、
前記Ｉ／Ｏユニットは、前記複数のネットワーク（１１，１２，１３）を介して前記ユーザ機器（１）或は前記ネットワークエンティティ（２，３４）のネットワークアドレスを取り出し、該情報を前記メモリユニット（５０３）に格納するように構成されていることを特徴とする請求項３９乃至４１のいずれか１項に記載の相関ノード装置。
【請求項４３】
前記ユーザ機器（１）或は前記ネットワークエンティティ（２，３４）に対して照会を行い、前記第１の通信セションと前記第２の通信セションの存在を検証するように構成されたアプリケーションプログラム記憶部（５０２Ａ）を備える処理ユニット（５０２）をさらに有することを特徴とする請求項３９乃至４２のいずれか１項に記載の相関ノード装置。
【発明の詳細な説明】
【技術分野】
【０００１】
本発明は、一般に固定通信システム、無線通信システム、または複合ネットワークと称されるパケット交換・回線交換アーキテクチャを有するハイブリッド通信システムなどの通信システムに関する。特に、本発明により、前記ネットワークのパケット交換部および回線交換部に存在する或は確立される２つ以上の通信セションを効率的に関連付ける方法を容易にするものである。
【背景技術】
【０００２】
固定ネットワークや、特に、汎欧州デジタル移動電話方式（ＧＳＭ）、汎用パケット無線サービス（ＧＰＲＳ）、または、全球規模の移動体通信システム（ＵＭＴＳ）などの移動体ネットワークは絶えず進化している。現在のＧＳＭ／ＧＰＲＳ及びＵＭＴＳのネットワークは、回線交換（ＣＳ）接続とパケット交換（ＰＳ）接続の両方を提供する。広範な種類のデータを伝送する能力を有するＰＳエンド・ツー・エンド接続は、画像、音楽およびビデオの転送などのマルチメディアサービスの提供に使用される。ＣＳ接続は、信頼性が高く且つ規定されたサービス品質（ＱｏＳ）をもつ１つ以上の信頼できるネットワークノードにより、２つのユーザ機器間に信頼できるリンクを提供する。
【０００３】
１台以上のユーザ機器に異なる種類の２つ以上のリンクが確立される複合ネットワークは、ユーザ機器にＣＳ接続とＰＳ接続の両方を展開する能力があり、それによって、ＰＳセションと称されるＰＳ通信セションとＣＳによる呼と称されるＣＳ通信セションとによりそのアクティビティを実行するサービスを可能にする。
【０００４】
このサービスの組み合わせの形態から利益に関して言えば、ユーザ機器には、ＣＳによる呼とＰＳセションを同時に扱える能力が必要とされる。ＵＭＴＳ用のマルチ無線アクセスベアラ（ＲＡＢ）端末機器とＧＳＭ／ＧＰＲＳネットワーク用のデュアル転送モード（ＤＴＭ）端末機器とは利用可能であろう。これらの種類の端末機器は、ＣＳ接続とＰＳ接続の同時接続を可能にする機能を提供している。
【０００５】
現在のところ、会話音声はＰＳベアラによりエンドユーザに配信できない。それは、例えば、運用中の無線アクセスネットワークの能力が不十分なためであり、それゆえ、既存のＣＳベアラが会話音声を配信するために使用されている。将来は、ＰＳベアラを単独で、会話音声とマルチメディアのために使用することはたぶん可能である。それでもやはり、現在のＤＴＭ端末とおそらく将来のＵＭＴＳ端末とは、ＣＳ接続とＰＳ接続の同時接続サポートを行うであろう。
【０００６】
サービスは、ＣＳネットワークおよびＰＳネットワークでそれぞれ展開される様々なＣＳドメインサービスおよびＰＳドメインサービスから構成されてもよいが、エンドユーザからは単独のサービスのように見えそうに感じるようにするために、進行中のＣＳの呼またはこれから確立されるＣＳの呼と、進行中またはこれから確立されるＰＳセションとの間の関係の形態を決定し活用することが望ましい。
【０００７】
前述の決定されることが望ましい関係の例を、以下に挙げる。
【０００８】
１）ＤＴＭ電話機のユーザにリッチアラート（rich alert）を提供できたほうがよい。即ち、ＣＳの呼では一般的な音だけの簡単な注意喚起ではなく、ユーザは視覚による表現も得られたほうがよい。この視覚表現には、例えば、発呼者の写真、発呼者の名前、または呼の優先順位を含めることができる。着信者に関する限り、ＣＳの呼がＰＳ能力を有するユーザ機器から行われたか、または（ＣＳの呼だけができる）単なる“通常の”電話機から行われたかどうかは問題ではない。後者の場合は、ネットワーク内のエンティティ、例えば、インターネット・プロトコル・マルチメディア・サブシステム（ＩＭＳ：Internet Protocol Multimedia Subsystem）が呼の“リッチ”部分を生成していてもよい。この場合は、着信電話機の着信表示は、ＣＳネットワークにより初期設定され、着信電話機の視覚表現に関係する。
【０００９】
２）ユーザの操作を容易にするため、ＣＳの呼に関与している発呼側と着呼側の両パーティは、写真、ビデオ、或はファイルを音声通信中の通話相手（即ち、現在のＣＳの呼の相手）に送信しようとするのを、容易に（例えば、１回のボタンのクリックで）指定できるほうがよい。この場合、進行中のＣＳの呼は、前記データ部を送信するために必要な既存のまたは新しいＰＳセションと関係する。
【００１０】
３）ＣＳの呼がユーザＡとユーザＢとの間で確立されるなら、ユーザＡとユーザＢとの間のＰＳセション（例えば、写真の交換、ホワイトボードの共用等）に（即ち、ＰＳセションに別に適用される料金とは対照的に）通常の料金とは異なる料金を課し、ユーザに１つの請求書を差し出すことができれば望ましいだろう。この場合、もともとＣＳの呼だけに関係している請求書を、前述のユーザに１つの請求書として差し出すことに関して、ＰＳセションの課金はＣＳの呼の課金と関連している。
【００１１】
４）ヘルプデスクまたは支援サービス係へのＣＳの呼が進行中に、ヘルプデスクが更に課題の解決策を説明する付加的なマルチメディア（テキスト付き写真／ビデオ）を送信できれば望ましいだろう。この場合、進行中のＣＳの呼は、付加的なマルチメディア情報が交換されるＰＳセションに関係している。
【００１２】
５）ＣＳの呼が進行中にＰＳセションのＱｏＳに影響を及ぼすことは望ましいだろう。例えば、音声通話を含むＣＳの呼中のビデオストリーミングは高い優先順位で取り扱われる。ここで、そのＱｏＳに影響を及ぼすことに関して、ＣＳの呼とＰＳセションとの間の関係は、ユーザ機器、ネットワークまたはその両方に知られる必要がある。
【００１３】
上記これらの例のすべてにおいて、ＣＳの呼とＰＳセションとの間の関連を、その関連がユーザ機器またはネットワークに対して目立った遅延なしに簡単且つ確実に知られるように決定することが望ましい。さらに、ＰＳセションに関して発生する費用は、ユーザのＣＳの呼に関連して信頼できる方法で課金されることがユーザに対して保証されるべきである。
【発明の開示】
【発明が解決しようとする課題】
【００１４】
本発明が解決策を探す課題は、２つの部分からなる課題として表せる。
【００１５】
第１の課題では、“ＣＳの呼とＰＳセションとの間の関連の見つけ方”を扱う。即ち、サービスは、最新のサービストリガが進行中のサービスに属しているか否かをどのようにして判定することができるか？という点である。このことは、様々な状況のもとで解決される必要がある。換言すると、最新のサービストリガはＣＳサービスまたはＰＳサービスに関係し、進行中のサービス自体は、ＣＳサービスまたはＰＳサービスであり、そして、最後にサービスはユーザ機器またはネットワークの中にあってもよい。第１の課題は、ＣＳの呼とＰＳセションとを相関させる相関手段の提供方法として定義される。
【００１６】
第２の課題では、“ＣＳの呼とＰＳセションとの間の関連を見つける処理を開始する誘因の提供方法”を扱う。即ち、エンティティは、ＣＳサービスとＰＳサービスとが相関すると、どのように表現または示唆または指摘するべきか？という点である。第２の課題は、ＣＳの呼とＰＳセションとの間の相関の誘発方法として定義される。
【００１７】
さらに、相関の誘発が、ユーザの通信手段において、または通信を横取りするサービスで発生することは望ましいはずである。前述の課題に対する解決策はどれも、以下の要件を満足しなければならない。
【００１８】
−ＣＳの呼とＰＳセションとの間の相関は、ユーザに特別な要件を課すべきでない。即ち、ユーザはその呼またはセション中に、もう１つの関連するＣＳ或はＰＳサービスを後で始めるかどうかを知らずに、自発的にＣＳによる発呼をしたりＰＳセションを開始したりすることが可能であるべきである。
【００１９】
−見つけられる解決策はどれも、様々なネットワークが混合し種々のプロトコルが展開される場合でさえ、様々なネットワークで有効に機能すべきである。このことが当てはまるのは、通話が２つのネットワーク間のゲートウェイノードを通過するとき、特に、これらの２つのネットワークが、例えば、ＧＳＭとＴＤＭ、或はＧＳＭとＰＳＴＮ／ＩＳＤＮ等の異種のネットワークであるときである。
【００２０】
本発明の目的は、ＣＳネットワークおよび少なくとも１つのＰＳネットワークからなる異なる種類の複数のネットワークを有する複合ネットワークに存在する通信セションの相関処理を初期化してその相関処理を可能にする方法を提供することである。ここで、ＣＳネットワークのＣＳの呼およびＰＳネットワークのＰＳセションである前記通信セションは、前記異なる種類のネットワークで前記セションを展開しているユーザ機器を有するパーティに関係している。
【００２１】
本発明の目的はさらに、提供される方法を用いて前記セション間の前記相関の確認を実行するように構成されるユーザ機器を提供することである。
【課題を解決するための手段】
【００２２】
これらの目的は、請求の範囲に記載される方法により達成される。その方法では、ネットワークの種類（ＣＳまたはＰＳ）に応じて通信セションがセットアップされ、それによって１つ或は２つの識別子が通話相手のユーザ機器に提供される。
【００２３】
ＣＳネットワークで通信セションのセットアップ中、通信セションが同じパーティ間のＰＳネットワークで確立されているか、またはこれから確立される通信セションと相関しているかもしれないことを示すことに関して、複合呼インジケータ（ＣＣＩ：Combinational Call Indicator）識別子が、通話相手に提供される。通信セションのセットアップがＰＳネットワークで実行される場合、ＰＳネットワークの通信セションが同じパーティ間のＣＳネットワークの通信セションと相関しているかもしれないことを示すことに関して、発呼線ＩＤ（ＣＬＩ：Calling Line Identification）識別子とＣＣＩとが通話相手に送信される。通信セションがセットアップされる順序は関係がない。同時にセションをセットアップすることさえ許される。
【００２４】
このように請求の範囲に記載される方法は、ＣＣＩ識別子の存在をもって、通信セションが別の通信セションに関連していることを検出する手段を提供し、ＣＣＩ識別子は、通信セション間に相関が存在するかどうかを検証するための誘因もまた提供する。
【００２５】
通信セションがセットアップされる順序は本発明の適用には関係がない。同時に通信セションをセットアップすることさえ許される。
【００２６】
本発明に従う方法は、２人のユーザあるいは１人のユーザとネットワークエンティティが、例えば、ＣＳネットワークおよびＰＳネットワークを介して、複合ネットワークにおいて互いに同時に通信セションをもっていて、そこでは、たとえユーザの視点からは互いに関連していても、通信セションが互いに関係なく存在できるので、互いに「分離している」と見なされるという洞察に基づいている。ＣＳネットワークのＣＳの呼およびＰＳネットワークの１つ以上のＰＳセションなどの通信セションが、ネットワークの観点からは関係しているべきである場合、前記通信セション間には、相関が存在すべきである。
【００２７】
ＣＳの呼とＰＳセションとを相関させようと試みるとき、以下の段階が識別されるべきである。
【００２８】
（１）相関が引き起こされる必要があることを確認。この決定は、ユーザのユーザ機器の１つまたはネットワークにより行われる。
【００２９】
（２）相関を示す参照符号を生成し、続いてＣＳの呼またはＰＳセションのそれぞれのベアラにその参照符号を示すか、付加するか、或はアタッチして、続く相関の検出を容易にすること。
【００３０】
（３）相関の検出が必要であることを検出すること。
【００３１】
（４）必要な相関調査の実行。
【００３２】
最後の相関調査を実行する段階は、コンテキスト依存性があり、その実際の実施は展開されるネットワークの種類およびプロトコルに依存し、既知の方法で展開される。
【００３３】
ＣＳの呼とＰＳセションとの相関調査のために、以下の場合は区別される。
【００３４】
ａ）ＣＳの呼は進行中であり、ＰＳセションはこれからセットアップされる。
【００３５】
ｂ）ＰＳセションは進行中であり、ＣＳの呼はこれからセットアップされる。
【００３６】
ｃ）ＣＳの呼とＰＳセションが同時にセットアップされる。
【００３７】
上に挙げる全ての場合において、相関は、発呼者Ａ或は着呼者Ｂのユーザ機器、またはネットワークのいずれかで引き起こされる。一方、相関は、着呼或は発呼者のユーザ機器とネットワークとの内、少なくともいずれかで検出される必要がある。
【００３８】
上記課題に対する第１の解決策とは、相関を表現するために、既存の識別子、即ち、“発呼線ＩＤ”（ＣＬＩ、Calling Line Identity）識別子を使用することである。ＣＬＩは、ＣＳの呼を始めるユーザまたはエンティティを識別することに関して、発呼者番号（ＣｇＰＮ）に含まれるＩＳＤＮユーザ部（ＩＳＵＰ：ISDN User Part）で使用される。ＣＬＩはＣＳの呼確立処理に含まれる。第２の解決策としては、新しい識別子である“複合呼のインジケータ（Combinational Call Indicator）”（ＣＣＩ）が創成される。それは、ＣＳの呼が、ＣＳの呼とＰＳセションの両方を有する潜在的なまたは確立された複合呼の１部であることを示すために、少なくとも１ビットの変数（即ち、フラグ）であるべきである。
【００３９】
上記のケースａ）に関して：パーティＡとパーティＢとの間でのＣＳの呼が進行中であり、パーティＢとのＰＳセションがパーティＡによりセットアップされる場合、パーティＡのＣＬＩと“セット”されたＣＣＩ識別子とを含むパーティＡからのメッセージが、ＰＳネットワークを介してパーティＢのユーザ機器に向けて送信される。パーティＢのユーザ機器は、ＣＣＩ識別子を含むメッセージを受信すると、そのＣＣＩ識別子の存在から、進行中のＣＳの呼が到来するＰＳセションと相関すると判定する。
【００４０】
ケースｂ）に関して：パーティＡとパーティＢとの間でＰＳセションが進行中であり、パーティＡによるＣＳの呼がセットアップされる場合、“セット”されたＣＣＩ識別子がパーティＢに向けてＣＳの呼の注意喚起（アラート）と一緒に転送される。ＰＳセションのセットアップ中、パーティＡのユーザ機器のＣＬＩはパーティＢのユーザ機器にすでに信号送信されているので、パーティＢのユーザ機器は、ＣＣＩ識別子の存在から、進行中のＰＳセションは到来するＣＳの呼と相関すると判定する。
【００４１】
ケースｃ）に関して：パーティＡによりＣＳの呼とＰＳセションが同時にセットアップされる場合、“セット”されるＣＣＩ識別子は、ＣＳの呼とＰＳセションの両方で、パーティＡにより初期化される。パーティＡのＣＬＩと“セット”されたＣＣＩ識別子とを有するパーティＡからのメッセージが、ＰＳネットワークを介してパーティＢのユーザ機器に向けて送信される。同時にパーティＡによるＣＳの呼がセットアップされ、“セット”されたＣＣＩ識別子がパーティＢに向けてＣＳの呼の注意喚起（アラート）と一緒に転送される。ＣＳの呼の注意喚起（アラート）とＰＳセションのセットアップとは、パーティＢのユーザ機器で任意の順序で受信されてもよい。ＣＳの呼の注意喚起（アラート）またはＰＳセションのセットアップのいずれかで、パーティＢのユーザ機器により受信したＣＣＩ識別子は、複合セションが予定されていることを示す。ここで、すでに受信したＣＳの呼またはＰＳセションは、それゆえ予定されているＰＳセションまたはＣＳの呼とそれぞれ相関する。
【００４２】
ユーザ機器のインターネット・プロトコル・マルチメディア・サブシステム（ＩＭＳ：Internet Protocol Multimedia Subsystem）のアプリケーションはＣＳの呼セットアップでＣＣＩ識別子を“セット”し、ＰＳセションを確立するためのメッセージで“セット”されたＣＣＩ識別子とＣＬＩとを提供する。
【００４３】
ＰＳセションとＣＳの呼のセットアップ中、ＣＣＩ識別子は両方の通信セションのため“セット”され、パーティＡのユーザ機器のＣＬＩもパーティＢのユーザ機器にＣＳネットワークおよびＰＳネットワークの両方で同様にメッセージ送信されるので、パーティＢのユーザ機器は、ＣＣＩ識別子の存在から、最初に着信した通信セションは次に到来する通信セションと相関すると判定する。
【００４４】
ＣＣＩ識別子は、ＣＳネットワークシグナリングと同様にＰＳネットワークでも挿入される。ＣＣＩ識別子の他の特性は、ネットワークによるのと同様に、パーティＡ或はパーティＢの送信／受信ユーザ機器により“書込可能”（誘発可能）である一方、ネットワークおよび送信／受信ユーザ機器により“読出可能”（検出可能）である。さらに、ネットワークは、ＣＳの呼のベアラまたはＰＳセションのベアラからのＣＣＩ識別子を削除／修正する能力を有する。
【００４５】
通信確立中と通信中との内、少なくともいずれかで前記ユーザの間で交換されたメッセージは、複合ネットワーク内のネットワーク種類の異なる複数のネットワークとの接続点をもつネットワークエンティティを備える“サービスネットワーク”により横取りされ、修正される。
【００４６】
提示されるように、本発明の方法は、異なる種類のネットワークを有する複合ネットワークにおいて、ユーザ機器、ネットワークエンティティ、或はサービスネットワークに、通信セション間に相関があることを確認する手段を提供する。ここで、前記通信セションは異なる種類の複数のネットワークで通信セションをもつユーザ機器により展開される。ＣＣＩ識別子を活用することにより、ユーザ機器またはネットワークで相関の確認処理が引き起こされ、ＣＬＩ識別子により通信セション間を相関させることが可能になる。この相関方法により、一式の例として、“リッチ（rich）”アラートが簡単なユーザ操作に備えられるので、ＰＳセションの課金料金の適応が信頼できるものとして展開され、マルチメディアストリームが進行中のＣＳの呼に簡単に相関させられ、ＰＳセションのＱｏＳにＣＳの呼との相関の確認に基づいて影響を及ぼすことができる。
【００４７】
次に、本発明に従うこれらの利点について、添付図面を参照して詳細に説明する。
【発明を実施するための最良の形態】
【００４８】
本発明の範囲を限定することなく、本発明を完全に理解してもらうために、背景と複合ネットワーク環境で展開される移動体通信システムの現在の実施形の範囲内で、本発明は提示される。しかしながら、本発明は、複合ネットワークを備えるどんな通信システムにも展開できる。
【００４９】
２人のユーザ、パーティＡとパーティＢとが、通信セション中であると仮定しよう。パーティＡとパーティＢとの間のその通信セションは、ＣＳネットワークが提供するＣＳの呼とＰＳネットワークが提供するＰＳセションとからなり、両方の通信セションは“通信の構成要素”とみなされる。その構成要素は、任意の順序でまたは同時に、次々にセットアップされてもよい。パーティＡとパーティＢにより用いられるユーザ機器により、ＣＳ通信セションとＰＳ通信セションを同時に行うことができる。ＣＳ通信セションとＰＳ通信セションを同時に行うことをデュアルモード通信と呼ぶ。前記デュアルモードの能力は、１台のデバイスの中に納められていても良いし、或は、前記デュアルモードのユーザ機器が、例えば、携帯電話とパーソナルコンピュータ（ＰＣ）とを含む分割構成のユーザ機器などの複数のデバイスの中に納められていても良い。
【００５０】
通信を確立するためか、或は通信中の少なくともいずれかで、前記ユーザ間で交換されたメッセージは、複合ネットワークのネットワーク種類の異なる複数のネットワークに対する接続点をもつネットワークエンティティを有する“サービスネットワーク”により、横取りされ、修正される。
【００５１】
図１は、異なるネットワークタイプのいくつかのネットワーク１１、１２、１３を有する複合ネットワーク１０を模式的に図示したものである。その複合ネットワークには、第１のユーザ機器１と第２のユーザ機器２とが、ネットワーク１１、１２、１３のすべてか、或は少なくとも２つに接続している。ネットワーク１１、１２、１３への物理的な接続を提供することに関して、ユーザ機器１、２は、前述のネットワーク１１、１２、１３に対するネットワークインタフェース１Ａ、１Ｂ、１Ｃ、２Ａ、２Ｂ、２Ｃを有し、これらネットワークインタフェース夫々は、ネットワークアドレスと関係している。
【００５２】
本発明の説明のために、ネットワーク１１はＣＳネットワークタイプのネットワークであり、ネットワーク１２、１３はＰＳネットワークタイプのネットワークであると勝手に仮定しておく。
【００５３】
第１のユーザ機器を有するパーティＡは、以下の例で説明されるように、ユーザ機器２によりパーティＢと複合通信セションをもつことができる。しかしながら、パーティＡは、代わりに、複合ネットワークに含まれるネットワークサービスノード３４との複合通信セションをもつことができる。
【００５４】
以下の説明では、ＣＳの呼とＰＳセションとの相関がユーザ機器１、２によりどのように確認されるかについて説明し、続いて、複合ネットワーク１０に含まれる種類の異なるネットワーク１１、１２、１３に対する接続点をもつネットワークベースの相関ノード５として実施されるネットワーク１０のどこで相関が確認されるかについて説明する。
【００５５】
以下のケースは、ＣＳの呼とＰＳセションとの相関を表現するために区別される。
【００５６】
ａ）ＣＳの呼は進行中であり、ＰＳセションはこれから設定される。
【００５７】
ｂ）ＰＳセションは進行中であり、ＣＳの呼はこれから設定される。
【００５８】
ｃ）ＣＳの呼とＰＳセションがこれから同時に設定される。
【００５９】
上に挙げるすべてのケースにおいて、ＣＳネットワーク１１でＣＳの呼確立にＣＬＩ識別子を含めることは先行技術であると見なされるだろう。
【００６０】
ケースａ）に関しては、図１を参照して実際的なシナリオにより本発明を説明する。
【００６１】
電話機などのユーザ機器１を有するパーティＡは、電話機１の電話帳からパーティＢの電話番号を選ぶかまたはパーティＢの電話番号を“ダイヤル”して、ユーザ機器２を有するパーティＢに電話する。
【００６２】
先行技術に従う接続がＣＳタイプのネットワーク１１により確立されるだろう。その後直ぐに、パーティＡは、パーティＢに写真を送信したいと思う。
【００６３】
パーティＡが前述のことを単独のサービスとして経験するためには、パーティＡは、“現在のＣＳの呼の相手に写真を送信する”ことを示すボタンを１つだけ押すこと以外は、要求されるべきでない。
【００６４】
ボタンのクリックに答えて、パーティＡのユーザ機器１は、パーティＢのユーザ機器２のＰＳネットワークアドレス２Ｂ、２Ｃをフェッチする。そのアドレスは、インターネットプロトコル（ＩＰ）アドレス、セション開始プロトコル（ＳＩＰ）の統一リソース識別子（ＵＲＩ：Universal Resource Identifier）、またはプレゼンスＵＲＩ［ＲＦＣ３８５９−プレゼンス共通プロフィール（ＣＰＰ：Common Profile for Presence）インターネットソサエティ（The Internet Society）（２００４）］でもよい。
【００６５】
着呼者Ｂのユーザ機器２のＰＳネットワークアドレスは、パーティＡのユーザ機器に知られている。パーティＡがＰＳネットワークアドレスを取り出す場合、ＰＳアドレス取り出し方法は、係属中の米国出願第６０／５９２，４２７号に開示されている方法により提供される。この係属中の出願は、複合呼の相手のＰＳアドレスを取り出す方法と機器を示している。そこで、ＰＳネットワークアドレスの取り出しは、ＣＳネットワークによるＣＳプロトコルにより初期化される。アドレス取り出し要求は、通話相手またはネットワークアドレス要求を遂行するネットワークノードに向けられる。
【００６６】
パーティＡのユーザ機器は、ＰＳネットワークアドレスを知ると、端末能力を交換することができる。
【００６７】
パーティＡが写真伝送を開始し、ＣＳの呼およびＰＳセション（即ち、写真の送信）の料金が１つの請求書でなされるべきだと考える場合、複合ネットワーク１０は、ＣＳの呼およびＰＳセションは単独のサービスに属すると判定することができるべきである。換言すると、ＣＳの呼とＰＳセションとが相関することができる場合、ＣＳの呼とＰＳセションは関係付けされ、複合通信セションの一部を構成する。
【００６８】
相関があるかどうかの調査を可能にするために、本発明は識別子の使用の備えをする。相関のための第１の識別子は、既存の識別子、即ち、“発呼線ＩＤ”（ＣＬＩ）識別子である。ＣＬＩは、ＣＳの呼を創成するユーザまたはエンティティを識別することに関し、発呼者番号（ＣｇＰＮ：Calling Party Number）に含まれるＩＳＤＮユーザ部（ＩＳＵＰ：ISDN User Part）で使用される。ＣＬＩは、ＣＳの呼確立プロセスに含まれる。
【００６９】
相関を引き起こすために、本発明は“複合呼インジケータ”（ＣＣＩ：Combinational Call Indicator）識別子という第２の識別子を備える。ＣＣＩは、少なくとも１ビットの変数（即ち、フラグ）であるべきであり、ＣＳの呼が、ＣＳの呼とＰＳセションとの両方を有する潜在的なまたは確立した複合呼の一部であることを示す。
【００７０】
ＣＳネットワーク１１による進行中のＣＳの呼とＰＳネットワーク１２、１３でこれから確立されるＰＳセションとを相関させる手段を提供することに関して、パーティＢのユーザ機器２をアドレス指定するためのプロトコルが使用される。適切なプロトコルはセション開始プロトコル（ＳＩＰ）であろう。ＳＩＰ  ＩＮＶＩＴＥメッセージが、パーティＡの発呼線ＩＤ（ＣＬＩ）を搬送するインターネットプロトコル（ＩＰ）マルチメディアセションを開始するために、パーティＢのユーザ機器２に送信される。パーティＡのＣＬＩとＳＩＰ  ＩＮＶＩＴＥを結びつけることは、数多くの方法で達成される。
【００７１】
ＣＬＩを含める論理的な場所は、ＳＩＰ  ＩＮＶＩＴＥメッセージ内の“呼ＩＤ”ヘッダである。呼ＩＤは、Ｅ．１６４フォーマット（国際電気通信連合ＩＴＵ−Ｔ勧告Ｅ．１６１［４］参照）のＣＬＩと同じにセットされる。代替案として、ＣＬＩは単に呼ＩＤの構成の一部でも良く、タイムスタンプなどの余分の情報が認識可能なフォーマットで付加／先頭に追加することができる。後者の代替案は、パーティＡはＣＳの呼の相手とだけＰＳセションをセットアップすることに限られず、例えば、パーティＡが別のエンド−ポイントとＰＳセションをセットアップできるので、いくつかの利点がある。
【００７２】
ＣＬＩを含めるもう１つの選択肢は、ＳＩＰ  ＩＮＶＩＴＥメッセージの“フロム（From）”ヘッダの中にある。ＣＬＩ（本質的に電話番号）は、電話通信統一リソース識別子（ＵＲＩ）で、例えば、ｓｉｐ：＋３１１６１２４５６５６＠ｋｐｎ．ｎｌとしてフォーマットでき、ＩＥＴＦ  ＲＦＣ２８０６［１］に従って“フロム”ヘッダの中で使用できる。ＳＩＰ  ＩＮＶＩＴＥメッセージの“フロム”ヘッダ内の“フロムタグ（From tag）”は、唯一性（uniqueness）を創成するために使用される。
【００７３】
さらなる選択肢は、ＣＬＩを表すためにＳＩＰ  ＩＮＶＩＴＥのメッセージ部を使用することである。タイムスタンプは、ＣＬＩに加えて、同じユーザ機器から発信された複数のＳＩＰ  ＩＮＶＩＴＥメッセージの間で唯一性を創成するための簡単な手段として使用される。
【００７４】
上に概略説明したすべての状況で、ＳＩＰ  ＩＮＶＩＴＥのメッセージの、例えば、前または後に付け加えて、（ＣＬＩに加えて）ＣＣＩ識別子もまた示される。パーティＢのユーザ機器２によりＰＳネットワーク１２でのＰＳセションを介してＣＣＩ識別子を含むメッセージを受信すると、パーティＢのユーザ機器２は、そのＣＣＩ識別子の存在から、ＣＳの呼のＣＬＩとＰＳセションから取り出されたＣＬＩとが同じとき、進行中のＣＳの呼は複合的であると判定する。
【００７５】
ＣＣＩ識別子を受信すると、受信ユーザ機器またはネットワークエンティティは、通信セション間の相関を調査する処理手順を始めることができる。ＣＳの呼とＰＳセションとが相関していることを判断するためのこの実際のチェックを実行する方法は、係属中の米国出願第６０／５９２，４２６号に開示されている。この係属出願は、ネットワークアドレスと通信セションとの間の関係についての実際のデータを含む数多くのの論理データベースが導入され、相関があるかどうかのチェックは相関ノードにより展開される方法を示している。そのチェックは、前述のデータベースまたは他のネットワークエンティティに向けた数多くの照会からなり、通信セションは複合的とみなせるかどうかの答えをもたらす。
【００７６】
状況によっては、パーティＢのユーザ機器２において相関を検出することを要求する設定をパーティＢのユーザ機器２に行うケースがあってもよい。例えば、パーティＢは、ＣＳの呼の相手からのＰＳセションだけを受入れる用意があることがあり得る。
【００７７】
ユーザ機器１、２のエンドユーザの自発的な挙動として注意がひかれる場合は、ＣＳの呼が呼確立時にＣＣＩ識別子を必ずしも含む必要がないことを示唆している。
【００７８】
ＣＣＩ識別子が（ＰＳセションが存在しないときに）ＣＳの呼で搬送されるとしても、関与するユーザ機器１、２またはネットワークノード３４は、相関が確認される前に、複合チェックを実行しなければならない。ＣＳの呼だけが進行中のときには進行中のＰＳセションがないので、複合チェックは否定的な結果をもたらすだろう。
【００７９】
ケースｂ）に関しては、図１を参照して実際的なシナリオにより、本発明を説明する。ユーザ機器１を有するパーティＡとユーザ機器２を有するパーティＢが、チャットセション（ＩＰマルチメディアサービス）を進行中である。チャットセション中にこうむる遅延のために、パーティＡは、チャットセションを継続したまま、全二重の音声会話を行ったほうがよいと決心する。パーティＡは、会話で重要な点が話されるとき、チャットセションに戻る。
【００８０】
（ＰＳセション後にＣＳの呼をセットアップする）このケースｂ）に対する解決策は、（ＣＳの呼の後にＰＳセションをセットアップする）ケースａ）に対する解決策と非常によく似ている。ＰＳセションがセットアップされる一方、ＣＬＩ識別子とＣＣＩ識別子とが、まったく同じ方法で、ＳＩＰ  ＩＮＶＩＴＥメッセージで搬送される。唯一の相違は、（相関の確認を必要とする）関係するＣＳの呼が後でセットアップされるかもしれないということを予期した中で識別子が搬送されるという点である。従って、ＣＬＩは依然として、ケースａ）で説明した様々な方法でＳＩＰ  ＩＮＶＩＴＥメッセージで搬送される。
【００８１】
相違はＣＣＩ識別子がどのように搬送されるかにある。なお、ＰＳセションが最初にセットアップされたので、ＰＳセションを設定するＳＩＰ  ＩＮＶＩＴＥメッセージでＣＣＩ識別子が搬送される必要がないことに留意されたい。しかし、ＣＣＩ識別子は、ＣＳの呼の中で搬送される。
【００８２】
本発明では上記のように、ＣＳの呼は、ベアラとしてＤＴＡＰ、ＩＳＵＰ、ＤＳＳ１を使用すると仮定している。他の種類のベアラも使用できる。
【００８３】
ＰＳセションのセットアップ中、パーティＡのユーザ機器１のＣＬＩは、パーティＢのユーザ機器２にすでに信号送信されているので、ＣＣＩ識別子は“セット”されているので、パーティＢのユーザ機器２は進行中のＰＳセションは複合的であり、それ故に、着信するＣＳの呼と相関すると判断することができる。ＣＳの呼とＰＳセションとが複合的であることを判断するための実際のチェックを実行する方法の開示に関しては、ケースａ）を参照されたい。
【００８４】
通常、通話料金の課金は、課金プロセスが端末装置またはユーザ機器１、２により確立されるときには信頼されない、それ故、課金は従来よりネットワークにより用意される。例えば、ＣＳの呼とＰＳセションが同時にパーティＡとパーティＢのユーザ機器１、２の間にあるとき、ＣＳの呼の料金割引がなされるというような、複合呼の課金が行われるとき、ネットワークエンティティは、ＣＣＩ識別子が前述のセションの実際の存在に基づいて正しく“セット”されているかどうかを検証する。ＣＣＩ識別子が不当に“セット”されている場合、ネットワークエンティティはＣＣＩ識別子の現在の状態を修正するか破棄し、上記の例で提示されたような料金割引を適用しない。
【００８５】
ケースｃ）に関しては、図１を参照して実際的なシナリオを用いて本発明を説明する。ユーザ機器１を有するパーティＡは、ユーザ機器２を有するパーティＢにＣＳの呼を開始し、パーティＢのユーザ機器２に“リッチアラート（rich alert）”を引き起こしたいと願っている。このことは、ＰＳセションをＣＳの呼と同時にセットアップすることにより達成できる。パーティＡのユーザ機器１のＩＰマルチメディアサブシステム（ＩＭＳ）のアプリケーションはＣＳの呼確立においてＣＣＩ識別子を含め、ＰＳセション確立にＣＬＩ識別子を含める。
【００８６】
パーティＢのユーザ機器２がＣＳの呼を受信すると、ユーザ機器２はＣＣＩ識別子の存在から対応するＰＳセションを待ち合わせようと推論する。ＰＳセションが着信すると、ＰＳセションのＣＬＩの存在が、そのＰＳセションはＣＬＩが表すＣＳの呼と関係していることを示す。パーティＢのユーザ機器２はいまや、パーティＢのユーザ機器２にＣＳの呼とＰＳセションを同時に提供する。ＣＳの呼とＰＳセションとは“リッチアラート”を形成するのである。
【００８７】
更にこのケースの例：
上の例のパーティＡは、パーティＢのユーザ機器２とのＣＳの呼を確立する。ネットワーク１１、１２、１３は、ＣＳの呼確立を横取りし、シグナリングのＣＣＩ識別子を帰納的に推量する。同時に、ネットワークは、パーティＢのユーザ機器２とのＰＳセションを確立し、ＰＳセションシグナリングにパーティＡからのＣＬＩを含める。
【００８８】
その結果として、パーティＢのユーザ機器２は、前の例と同様にリッチアラートを受信する。しかしながら、この例では、発呼者のユーザ機器１とは対照的に、ネットワークがアラートのリッチ部分を生成する。
【００８９】
“ＣＣＩ識別子を帰納的に推量するネットワーク”の実現は、複合ネットワーク１０に含まれるネットワーク１１、１２、１３に対する接続点をもつ相関ノード５により具体化される。相関ノード５は、ネットワーク１１、１２、１３に対して、それぞれがネットワークアドレスに関係付けられたインタフェース５Ａ、５Ｂ、５Ｃを有する。
【００９０】
上の３つのケースａ）、ｂ）、ｃ）のすべてにおいて、相関があるかどうかのチェックは、発呼者Ａ或は被呼者Ｂのユーザ機器１、２、またはネットワークサービスノード３４において、或は相関ノード５として実現されるネットワークにおいて引き起こされる。一方、その相関は、被呼者或は発呼者のユーザ機器１、２またはネットワークサービスノード３４と、ネットワークベースの相関ノード５との内、少なくともいずれかで検出される必要がある。
【００９１】
相関ノード５により実現されるようにネットワークにより、ＣＳの呼とＰＳセションとに相関があるかどうかをチェックする必要があるとき、ネットワークノード５は、シグナリングプロトコルのＣＣＩ識別子の存在を検出する手段を有する。本発明の実施例では、ネットワークノード５はアプリケーションサーバ（ＡＳ）を含む。ＣＳの呼確立を制御するためにＡＳが使用するプロトコルは、ユーザ・ツー・ユーザ情報（ＵＵＩ：User-to-User Information）要素を搬送する適切な情報要素を必要とする。また、ＵＵＩ要素はＣＣＩ識別子を有する。
【００９２】
さらに、前述の制御プロトコルは、ＣＣＩ識別子を含むユーザ・ツー・ユーザ情報（ＵＵＩ）を帰納的に推量したり、修正したり、或は削除するための適切な情報要素を必要とするだろう。ＩＳＵＰ、ＤＴＡＰ、ＤＳＳ１のプロトコルは、ＵＵＩ要素の中の情報を交換する実行可能性を提供する。
【００９３】
そのようなプロトコルの１例は、ＣＡＭＥＬアプリケーション部（ＣＡＰ：CAMEL Application Part）（３ＧＰＰ  ＴＳ  ２９．０７８［６］参照）であり、それは、ＣＡＰ運用の中にＵＵＩを含めるために機能強化を必要とする。
【００９４】
無線通信ネットワーク１１、１２、１３の、移動体１、２などのユーザ機器１、２が移動体から発信された呼を確立するとき、呼確立メッセージのユーザ・ツー・ユーザ情報（ＵＵＩ）要素を使用する。これについては、３ＧＰＰ  ＴＳ  ２３．０８７［５］を参照されたい。ＵＵＩ要素は、ＤＴＡＰにより（ＭＳからＭＳＣ或はＭＳＣサーバへ）、ＩＳＵＰにより（交換機間で）、そして、ＤＳＳ１により（デジタル加入者に向けて）搬送される。シグナリングネットワークは、発呼者と被呼者との間で、ＵＵＩ要素をトランスペアレントな転送を提供する。
【００９５】
ＵＵＩ要素は、ＣＣＩ識別子を搬送するのに使用される。シグナリングプロトコル（ＩＳＵＰ、ＤＴＡＰ、ＤＳＳ１）により、コールアラート（即ち、順方向、パーティＡの機器１からパーティＢの機器２へ）と呼受け入れ（即ち、逆方向、パーティＢの機器２からパーティＡの機器１へ）におけるＵＵＩ要素の使用が可能になる。
【００９６】
ＣＣＩ識別子は、少なくとも１ビットのフラグ形式であり、セション開始プロトコル（ＳＩＰ）、直接転送応用部（ＤＴＡＰ）、ＩＳＤＮユーザ部、或は、デジタル加入者シグナリング１（ＤＳＳ１）などの既存のプロトコルにフィットするのに適している。
【００９７】
ＣＣＩ識別子は、そのフォーマットのおかげで、ＣＣＩ識別子が通過する様々なネットワークにわたって書き換えられずに切り抜ける。呼が２つのネットワーク間のゲートウェイノードを通過するとき、特に、これらの２つのネットワークが異種、例えば、ＧＳＭとＴＤＭ、或はＧＳＭとＰＳＴＮ／ＩＳＤＮのときに、このことが当てはまる。
【００９８】
ＣＣＩ識別子は、適用可能なら、例えば、ＳＩＰ−Ｔゲートウェイが使用される場合、プロトコルによる書き換えも切り抜けるだろう。
【００９９】
ＣＣＩ識別子の生成、帰納的推量、検出、削除についての説明を続けると、トラフィックチェーンの様々なエンティティの役割は以下のとおりである。
【０１００】
ユーザ機器１による発呼者Ａ：
発呼者ＡはＣＣＩ識別子を生成し、パーティＢのユーザ機器２またはネットワークサービスノード３４に向けたＣＳの呼確立においてＣＣＩ識別子を含める。発呼者Ａのユーザ機器１は、ネットワークベースの相関ノード５によりネットワークから、或は、パーティＢのユーザ機器２／ネットワークサービスノード３４から、ＣＣＩ識別子を受信してもよい。
【０１０１】
ネットワークベースの相関ノード５として実現されるネットワーク：
ＣＣＩ識別子がパーティＢのユーザ機器２またはネットワークサービスノード３４に向けた呼確立に含まれるとき、相関ノード５は発呼者Ａのユーザ機器１からＣＣＩ識別子を受信する。ＣＣＩ識別子がパーティＢのユーザ機器２またはネットワークサービスノード３４からパーティＡのユーザ機器１に向けた呼受け付けに含まれるとき、相関ノード５もまた着呼者Ｂのユーザ機器２からのＣＣＩ識別子を受信する。相関ノード５は、パーティＢのユーザ機器２またはネットワークサービスノード３４に向けた呼確立においてＣＣＩ識別子を含めても、修正しても、或は削除してもよい。最後に、相関ノード５は、パーティＢのユーザ機器２またはネットワークサービスノード３４からパーティＡのユーザ機器１に向けた呼受け付けにおいてＣＣＩ識別子を含めたり、修正したり、或は削除してもよい。
【０１０２】
ユーザ機器２による被呼者Ｂまたはネットワークサービスノード３４：
被呼者Ｂのユーザ機器２またはネットワークサービスノード３４は、相関ノード５或はパーティＡのユーザ機器１からＣＣＩ識別子を受信する。被呼者Ｂのユーザ機器２またはネットワークサービスノード３４は、ＣＣＩ識別子を生成し、パーティＡのユーザ機器１に向けた呼受け付けにそれを含めてもよい。
【０１０３】
図１を参照すると、通信ネットワークは、課金サブシステム４０と認証サブシステム４１も有する。サブシステム４０、４１の両方とも、先行技術に従う機能を展開することに関して、２つ以上のネットワーク１１、１２、１３に対する接続点を有する。これらのサブシステムにも、あるパーティのＣＳの呼とＰＳセションとの間の相関が検出された場合には、ネットワークノードによりＣＣＩが提供される。
【０１０４】
図２はユーザ機器１の要素の概観を示す。インタフェース１Ａ、１Ｂ、１Ｃは、それぞれネットワークアドレスに関係付けられていて、ネットワーク１１、１２、１３への接続点を備える。アプリケーションプログラム記憶装置１０２Ａを備えるプロセッサ１０２とメモリユニット１０３は、入出力インタフェース１０１を介してネットワーク１１、１２、１３に通信接続していて、通信セションを設定し、ネットワークアドレスを提供し、通信セットアップを受け入れ、ＣＣＩ識別子を受信し格納するよう構成されている。
【０１０５】
相関ノード５が、ネットワーク１１、１２、１３へのネットワークインタフェース５Ａ、５Ｂ、５Ｃを介して、パーティＡのユーザ機器１のＣＳの呼とＰＳセションとが、ユーザ機器１、２、ネットワークサービスノード３４、課金サブシステム４０、或は認証サブシステム４１に関して相関していることを検出するとき、相関ノード５は、ユーザ機器１、ユーザ機器２、或はネットワークサービスノード３４からＣＣＩ識別子を受信するか、またはＣＣＩ識別子を提供する。
【０１０６】
図３を参照して、相関ノード５を更に説明する。相関ノード５は、第１と第２の通信セションの存在を検証するため、ユーザ機器１による照会を受け付けるように構成される。相関ノード５は、ネットワークインタフェース５Ａ、５Ｂ、５Ｃを介してネットワーク１１、１２、１３に接続するＩ／Ｏ部５０１と、アプリケーションプログラム記憶装置５０２Ａを有する処理部５０２と、メモリユニット５０３とを有し、第１と第２の通信セション間の相関を判断するように構成されている。
【０１０７】
提供される本発明の方法を導入することにより、相関があるかどうかのチェックを可能にする簡単且つ信頼できる方法が提供される。ＣＣＩ識別子の導入により、既存のＣＬＩ識別子と協働して、ＣＳの呼と１つ以上のＰＳセションとが相関していることの表示が与えられる。従って、チェックは、ＣＣＩ識別子がセットされている場合だけ行われるべきであり、それにより、ユーザ機器が２つ以上の通信セションをもつにも係らず相関がなかった場合にもなされたチェックの実行を防止している。
【０１０８】
提示されるように本発明は、発明が解決しようとする課題で提示された課題に、解決策を提供する。
【０１０９】
１）ＣＳの呼とＰＳセションとの相互関連付けをＣＣＩ識別子により可能にすることで、ＤＴＭ電話機１のユーザに、例えば、視覚表現を備えるリッチアラートを提供することができる。ＩＭＳネットワークノードが、ＰＳセションで提供される呼の「リッチ」部分を生成したかもしれない。この場合には、着信電話機での着信表示は、ＣＳネットワークで初期化され、ＣＳの呼とＰＳセションとの間に相関をもたせることにより着信電話機での視覚表現に結び付けられる。
【０１１０】
２）ＣＳの呼とＰＳセションとの相互関連付けをＣＣＩ識別子により可能にすることで、ユーザ操作を容易にすることが可能である。そこでは、ＣＳの呼に関与するパーティは、音声通信を行っている相手（即ち、現在のＣＳの呼の相手）に写真、ビデオ、或はファイルを送信しようとするのを、容易に（例えば、ボタンの１回クリックで）指定できる。この場合、進行中のＣＳの呼は、前記データ部分を送信するために必要な既存のまたは新しいＰＳセションと相関する。
【０１１１】
３）ＣＳの呼とＰＳセションとの相互関連付けをＣＣＩ識別子により可能にすることで、進行中の複合セションは、パーティＡとパーティＢとの間のＰＳセション（例えば、写真の交換、ホワイトボードの共用等）に通常とは異なる料金で課金し、１つの請求書を差し出すことが可能になる。この場合は、これまでＣＳの呼だけに関係していた１枚の請求書を前述のユーザに差し出すことに関して、ＰＳセションの課金はＣＳの呼の課金と相関する。
【０１１２】
４）ＣＳの呼とＰＳセションとの相互関連付けをＣＣＩ識別子により可能にすることで、ヘルプデスクまたは支援サービス係へのＣＳの呼が進行中に、課題の解決策を説明するマルチメディア（テキスト付き写真／ビデオ）を送信することが可能である。この場合、進行中のＣＳの呼は付加的なマルチメディア情報が交換されるＰＳセションに相関する。
【０１１３】
５）ＣＳの呼とＰＳセションとの相互関連付けをＣＣＩ識別子により可能にすることで、ＰＳセションのＱｏＳは、ＣＳの呼が進行中に影響を受ける。音声通話を備えるＣＳの呼の途中のビデオストリーミングは、高い優先順位で扱うことができる。それ故に、ＣＳの呼とＰＳセションとの間の関係は、ＱｏＳへの影響に関して、ユーザ機器、または、ネットワーク、または両方に知られる必要がある。
【０１１４】
６）ＣＳの呼とＰＳセションとの相互関連付けをＣＣＩ識別子により可能にすることで、ネットワークプロバイダは、第１の通信セションに使用されているのと同じサービスを第２の通信セションにも求めるポリシーを適用する。もし、第１の通信セションが仮想私設網（ＶＰＮ）の支配下に置かれているなら、プロバイダは両方のセションの相関に依存するので、第２の通信セションも同じＶＰＮの支配下に置くことができる。
【０１１５】
７）ＣＳの呼とＰＳセションとの相互関連付けをＣＣＩ識別子により可能にすることで、着信端末２またはネットワークサービスノード３４は、相関があるかどうかをチェックして検出し、複合セションに局所的なポリシーを適用してもよい。例えば、その使用により、進行中のセションのコンテキストの中で始められる新しいセションをいつも自動的に受け入れる。それは、第１の通信セションがすでに進行中で、ＣＣＩ識別子が“セット”されたとき、第２の通信セションが自動的に受け入れるときのようである。
【図面の簡単な説明】
【０１１６】
【図１】２台のユーザ機器がネットワークに接続している複合ネットワークの概略図である。
【図２】ユーザ機器の概略を示す図である。
【図３】相関ノードの概略を示す図である。
【図１】
2008508753.tif 000003
【図２】
2008508753.tif 000004
【図３】
2008508753.tif 000005
【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
異なるタイプのネットワークである２つ以上のネットワーク（１１，１２，１３）を有した通信システム内に相関手段を備える方法であって、
前記ネットワーク（１１，１２，１３）は少なくとも第１のユーザ機器（１）とネットワークエンティティ（２，３４）とに接続されており、前記第１のユーザ機器と前記ネットワークエンティティ（２，３４）とは前記ネットワークに対して夫々がネットワークアドレスに関係付けられた複数のネットワーク接続部（１Ａ，１Ｂ，１Ｃ、２Ａ，２Ｂ，２Ｃ，３４，３４Ｂ，３４Ｃ）をもち、
前記方法は、
第１のタイプのネットワーク（１１）を介して、前記第１のユーザ機器（１）と前記ネットワークエンティティ（２，３４）の内の一方による、前記第１のユーザ機器（１）と前記ネットワークエンティティ（２，３４）の内の他方に対する第１の通信セションをセットアップする工程と、
第２のタイプのネットワーク（１２，１３）を介して、前記第１のユーザ機器（１）と前記ネットワークエンティティ（２，３４）の内の一方による、前記第１のユーザ機器（１）と前記ネットワークエンティティ（２，３４）の内の他方に対する第２の通信セションをセットアップする工程とを有し、
前記第２の通信セションをセットアップする工程は、前記ネットワークエンティティ（２，３４）に第１のユーザ機器（１）の第１のネットワークタイプのネットワークアドレス（１Ａ，１Ｂ，１Ｃ）である呼のセション識別子を提供することを含み、
前記第１と第２の通信セションは異なるタイプのネットワークに存在し、
前記ネットワークのタイプは、回線交換ネットワークのタイプとパケット交換ネットワークのタイプであり、
前記方法はさらに、
前記ネットワークに接続された相関ノード（５）に、前記第１の通信セションと前記第２の通信セションとが互いに組み合わされて共存しているかもしれないことを示す複合呼インジケータ（ＣＣＩ）変数を提供する工程を有し、
前記相関ノード（５）は、前記受信したＣＣＩ変数がセットされたとき、前記第１の通信セションと前記第２の通信セションとが互いに組み合わされて共存しているかどうかを判断するように構成されていることを特徴とする方法。
【請求項２】
前記第１の通信セションをセットアップする工程は、
前記ネットワークエンティティ（２，３４）に前記ＣＣＩ変数を提供し、前記第１の通信セションが前記第２の通信セションと互いに組み合わされて共存していることを示すことを特徴とする請求項１に記載の方法。
【請求項３】
前記第２の通信セションをセットアップする工程はさらに、
前記ネットワークエンティティ（２，３４）に前記ＣＣＩ変数を提供し、前記第２の通信セションが前記第１の通信セションと互いに組み合わされて共存していることを示すことを特徴とする請求項１又は２に記載の方法。
【請求項４】
前記第１の通信セションのセットアップは、前記第２の通信セションのセットアップの前に実行されることを特徴とする請求項１乃至３のいずれか１項に記載の方法。
【請求項５】
前記第１の通信セションのセットアップは、前記第２の通信セションのセットアップの後に実行されることを特徴とする請求項１乃至３のいずれか１項に記載の方法。
【請求項６】
前記第１の通信セションのセットアップは、前記第２の通信セションのセットアップと実質的に同時に実行されることを特徴とする請求項１乃至３のいずれか１項に記載の方法。
【請求項７】
前記ＣＣＩ変数を提供する工程は、前記第１のユーザ機器（１）により実行されることを特徴とする請求項１乃至６のいずれか１項に記載の方法。
【請求項８】
前記ＣＣＩ変数を提供する工程は、前記ネットワークエンティティ（２，３４）により実行されることを特徴とする請求項１乃至７のいずれか１項に記載の方法。
【請求項９】
前記第１のユーザ機器（１）或は前記ネットワークエンティティ（２，３４）が、前記第１の通信セションと前記第２の通信セションとが互いに組み合わされて共存していると見なされているというメッセージを前記相関ノード（５）に送信することを特徴とする請求項７又は８に記載の方法。
【請求項１０】
前記第１のユーザ機器（１）或は前記ネットワークエンティティ（２，３４）は、前記ＣＣＩ変数を受信時、前記確立された第１或は第２の通信セションについて検証を行うことを特徴とする請求項１乃至９のいずれか１項に記載の方法。
【請求項１１】
前記第１の通信セション或は前記第２の通信セションが実際に確立されていることが検証されるとき、前記第１のユーザ機器或は前記ネットワークエンティティ（２，３４）は前記第１の通信セションと前記第２の通信セションとが互いに組み合わされて共存していることを判断することを特徴とする請求項１０に記載の方法。
【請求項１２】
前記呼のセション識別子は、前記第１のユーザ機器（１）或は前記相関ノード（５）により提供されることを特徴とする請求項７乃至１１のいずれか１項に記載の方法。
【請求項１３】
前記ネットワークエンティティ（２，３４）は第２のユーザ機器（２）或はコンテンツサーバのようなネットワークサービスノード（３４）であることを特徴とする請求項１乃至１２のいずれか１項に記載の方法。
【請求項１４】
前記第１或は第２のユーザ機器（１，２）は、各接続されたネットワーク（１１，１２，１３）に対する少なくとも１つの接続部をもつユーザ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項１乃至１３のいずれか１項に記載の方法。
【請求項１５】
前記第１或は第２のユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項１乃至１４のいずれか１項に記載の方法。
【請求項１６】
前記端末は、音声、オーディオ、ビデオ、電子メール、或はデータのような通信セションを、電話、ヘッドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項１５に記載の方法。
【請求項１７】
前記ユーザ機器（１，２）は前記ネットワーク（１１，１２，１３）への有線接続部、或は前記ネットワーク（１１，１２，１３）への無線接続部を有することを特徴とする請求項１４乃至１６のいずれか１項に記載の方法。
【請求項１８】
前記ネットワーク（１１，１２，１３）と前記関係するネットワークアドレスとは、回線交換（ＣＳ）ネットワークタイプのものと、パケット交換（ＰＳ）ネットワークタイプのものとの内、少なくともいずれかのものであることを特徴とする請求項１乃至１７のいずれか１項に記載の方法。
【請求項１９】
前記ネットワーク（１０）はＣＳタイプのものであり、
前記ネットワークアドレスは、移動体統合サービスデジタル通信網（ＭＳＩＳＤＮ）番号、公衆交換電話網（ＰＳＴＮ）番号、仮想私設網（ＶＰＮ）私設番号、或は国際電気通信連合（ＩＴＵ）勧告Ｅ．１６４に準拠した番号のような電話加入者番号であることを特徴とする請求項１８に記載の方法。
【請求項２０】
前記ネットワークアドレスは、ＳＩＰのユニフォーム・リソース・インジケータ（ＵＲＩ）、インターネットプロトコル（ＩＰ）アドレス、或は、イーサネット（登録商標）ＭＡＣアドレスのような構内ネットワーク（ＬＡＮ）のメディアアドレス制御（ＭＡＣ）層アドレスのようなＰＳネットワーク識別子或は番号であることを特徴とする請求項１８に記載の方法。
【請求項２１】
発呼線識別子（ＣＬＩ）は、前記第１のユーザ機器（１）、前記第２のユーザ機器（２）、或は、前記ネットワークサービスノード（３４）のネットワークアドレスを含み、
前記ネットワークアドレスは前記第１のネットワークタイプのものであることを特徴とする請求項１３乃至２０のいずれか１項に記載の方法。
【請求項２２】
前記ＣＬＩはＳＩＰ  Ｉｎｖｉｔｅメッセージのヘッダに含まれることを特徴とする請求項２１に記載の方法。
【請求項２３】
前記ＣＬＩはＳＩＰ  Ｉｎｖｉｔｅメッセージの“Ｆｒｏｍ”ヘッドに含まれるようにＳＩＰ  ＵＲＩとしてフォーマットされることを特徴とする請求項２１又は２２に記載の方法。
【請求項２４】
前記ユーザ機器（１，２）におけるＩＰマルチメディアシステム（ＩＭＳ）のアプリケーションは、前記第１或は第２の通信セションのセットアップにおいて前記ＣＬＩを生成し送信することを特徴とする請求項２１乃至２３のいずれか１項に記載の方法。
【請求項２５】
異なるタイプのネットワークである２つ以上のネットワーク（１１，１２，１３）を有した通信システム内で動作するユーザ機器（１）であって、
前記ユーザ機器（１，２）は前記２つ以上のネットワーク（１１，１２，１３）に対して、夫々がネットワークアドレスに関係付けられた複数のネットワーク接続部（１Ａ，１Ｂ，１Ｃ）をもち、
前記ユーザ機器（１）は、
前記複数のネットワーク接続部（１Ａ，１Ｂ，１Ｃ）により前記２つ以上のネットワーク（１１，１２，１３）に通信接続された入出力（Ｉ／Ｏ）ユニット（１０１）を有し、
プログラム記憶部（１０２Ａ）とメモリユニット（１０３）とに格納されたアプリケーションプログラムを動作させる処理ユニット（１０２）と協働する前記Ｉ／Ｏユニットは、第１の通信セションと第２の通信セションとをセットアップし、ネットワークエンティティ（２，３４）に、前記ユーザ機器（１）のネットワークアドレス（１Ａ，１Ｂ，１Ｃ）である呼のセション識別子を提供し、通信セションを受け入れ、前記呼のセション識別子を受信格納し、前記ネットワークエンティティ（２，３４）或はネットワークノード（５）に照会を行うように構成され、
前記ネットワークのタイプは、回線交換ネットワークのタイプとパケット交換ネットワークのタイプであり、
前記ユーザ機器はさらに、
前記ネットワークに接続された相関ノード（５）に、前記第１の通信セションが前記第２の通信セションと互いに組み合わされて共存しているかもしれないことを示す複合呼インジケータ（ＣＣＩ）変数を提供するように構成されていることを特徴とするユーザ機器。
【請求項２６】
前記ネットワークエンティティ（２，３４）に前記ＣＣＩ変数を提供し、前記ＣＣＩ変数を受信するようにさらに構成されていることを特徴とする請求項２５に記載のユーザ機器。
【請求項２７】
前記Ｉ／Ｏユニット（１０１）は前記ネットワーク（１１，１２，１３）を介して、前記ネットワークエンティティ（２，３４）のネットワークアドレスを取り出し、該情報を前記メモリユニット（１０３）に格納するようにさらに構成されていることを特徴とする請求項２５又は２６に記載のユーザ機器。
【請求項２８】
前記プログラム記憶部（１０２Ａ）を備える前記処理ユニット（１０２）は、前記ネットワークエンティティ（２，３４）或は相関ノード（５）に対して照会を行い、異なるタイプのネットワーク（１１，１２，１３）に存在する前記第１の通信セションと前記第２の通信セションの存在を検証するようにさらに構成されていることを特徴とする請求項２５乃至２７のいずれか１項に記載のユーザ機器。
【請求項２９】
アプリケーションプログラムがロードされた前記処理ユニット（１０２）は、前記第１の通信セションと前記第２の通信セションが互いに組み合わされて共存しているかどうかを判断し、前記第１の通信セションと前記第２の通信セションが互いに組み合わされて共存していると判断するとき、前記アプリケーションプログラムを実行するようにさらに構成されていることを特徴とする請求項２８に記載のユーザ機器。
【請求項３０】
前記ユーザ機器（１）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項２５乃至２９のいずれか１項に記載のユーザ機器。
【請求項３１】
前記ユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項２５乃至３０のいずれか１項に記載のユーザ機器。
【請求項３２】
前記端末は、音声、オーディオ、ビデオ、電子メール、或はデータのような通信セションを、電話、ヘッドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項３０又は３１に記載のユーザ機器。
【請求項３３】
前記ユーザ端末（１）は前記ネットワーク（１１，１２，１３）への有線接続部、或は前記ネットワーク（１１，１２，１３）への無線接続部を有することを特徴とする請求項３０乃至３２のいずれか１項に記載のユーザ機器。
【請求項３４】
前記ネットワーク（１１，１２，１３）と前記関係するネットワークアドレスとは、回線交換（ＣＳ）ネットワークタイプのものと、パケット交換（ＰＳ）ネットワークタイプのものとの内、少なくともいずれかのものであることを特徴とする請求項２５乃至３３のいずれか１項に記載のユーザ機器。
【請求項３５】
前記ネットワークアドレスは、ＣＳタイプのネットワークアドレスであり、移動体統合サービスデジタル通信網（ＭＳＩＳＤＮ）番号、公衆交換電話網（ＰＳＴＮ）番号、仮想私設網（ＶＰＮ）私設番号、或は、国際電気通信連合（ＩＴＵ）勧告Ｅ．１６４に準拠した番号のような電話加入者番号であることを特徴とする請求項２５乃至３４のいずれか１項に記載のユーザ機器。
【請求項３６】
前記ネットワークアドレスは、ＳＩＰのユニフォーム・リソース・インジケータ（ＵＲＩ）、インターネットプロトコル（ＩＰ）アドレス、或は、イーサネット（登録商標）ＭＡＣアドレスのような構内ネットワーク（ＬＡＮ）のメディアアドレス制御（ＭＡＣ）層アドレスのようなＰＳネットワーク識別子或は番号であることを特徴とする請求項２５乃至３５のいずれか１項に記載のユーザ機器。
【請求項３７】
異なるタイプのネットワークである２つ以上のネットワーク（１１，１２，１３）を有した通信システムにおいて動作し、前記２つ以上のネットワークに対して夫々がネットワークアドレスに関係付けされた複数のネットワーク接続部（３４Ａ，３４Ｂ，３４Ｃ）をもつ相関ノード装置（５）であって、
前記相関ノード装置（５）は、前記複数のネットワーク接続部（５Ａ，５Ｂ、５Ｃ）により前記ネットワーク（１１，１２，１３）に通信接続された入出力（Ｉ／Ｏ）ユニット（５０１）を有し、
プログラム記憶部（５０２Ａ）とメモリユニット（５０３）とに格納されたアプリケーションプログラムを動作させる処理ユニット（５０２）と協働する前記Ｉ／Ｏユニット（５０１）は、ユーザ機器（１）或はネットワークエンティティ（２，３４）に、前記ユーザ機器（１）の第１のネットワークタイプのネットワークアドレス（１Ａ，１Ｂ，１Ｃ）である呼のセション識別子を提供し、前記呼のセション識別子を受信格納するように構成され、
前記ネットワークのタイプは、回線交換ネットワークのタイプとパケット交換ネットワークのタイプであり、
前記相関ノード装置はさらに、
前記第１の通信セションが前記第２の通信セションと互いに組み合わされて共存していることを示す複合呼インジケータ（ＣＣＩ）変数を受信するように構成され、
前記相関ノード装置は前記受信したＣＣＩ変数がセットされるとき、前記第１の通信セションが前記第２の通信セションと互いに組み合わされて共存しているかどうかを判断するように構成されることを特徴とする相関ノード装置。
【請求項３８】
前記ユーザ機器（１）と前記ネットワークエンティティ（２，３４）との間の２つ以上の前記第１の通信セションと前記第２の通信セションとが互いに組み合わされて共存しているかどうかを判断するようにさらに構成され、
前記第１の通信セションと前記第２の通信セションとは異なるタイプのネットワークに存在することを特徴とする請求項３７に記載の相関ノード装置。
【請求項３９】
前記相関ノード装置（５）は、夫々がネットワークアドレスをもつインタフェース（５Ａ，５Ｂ，５Ｃ）により、複数のネットワーク（１１，１２，１３）に通信接続された入出力（Ｉ／Ｏ）ユニット（５０１）を有し、
前記Ｉ／Ｏユニットは、前記複数のネットワーク（１１，１２，１３）を介して前記ユーザ機器（１）或は前記ネットワークエンティティ（２，３４）のネットワークアドレスを取り出し、該情報を前記メモリユニット（５０３）に格納するように構成されていることを特徴とする請求項３７又は３８に記載の相関ノード装置。
【請求項４０】
前記ユーザ機器（１）或は前記ネットワークエンティティ（２，３４）に対して照会を行い、前記第１の通信セションと前記第２の通信セションの存在を検証するように構成されたアプリケーションプログラム記憶部（５０２Ａ）を備える処理ユニット（５０２）をさらに有することを特徴とする請求項３７乃至３９のいずれか１項に記載の相関ノード装置。
【手続補正２】
【補正対象書類名】明細書
【補正対象項目名】０００３
【補正方法】変更
【補正の内容】
【０００３】
１台以上のユーザ機器に異なる種類の２つ以上のリンクが確立される複合ネットワークは、ユーザ機器にＣＳ接続とＰＳ接続の両方を展開する能力があり、それによって、ＰＳセションと称されるＰＳ通信セションとＣＳによる呼と称されるＣＳ通信セションとによりそのアクティビティを実行するサービスを可能にする。
複合ネットワークに適用される従来技術によるシステムの例は、特許文献１と特許文献２とに公開され呈示されている。
ソイニネン等による（Soininen et al.）特許文献１は、パケット交換（ＰＳ）ベアラと回線交換（ＣＳ）ベアラとの間で十分な音声トラフィックのサービス品質を提供するために選択を行い、２つの端末間でのＣＳとＰＳネットワークによる音声セションとデータセションのバンド幅の利用状況のバランスをとるシステムと方法とを記載している。
端末で実行するアプリケーション、即ち、リッチコールアプリケーション（ＲＣＡ）は、ＣＳとＰＳの両方のネットワークの利用の仕方を、音声、写真、或はビデオに実際に必要な利用に依存して、２つのネットワークの１つによるＲＣＡのネゴシエーションをＣＳネットワークとＰＳネットワークとの内、少なくともいずれかに適用させることにより調整する。ＲＣＡのネゴシエーションによりＣＳネットワークとＰＳネットワークとに同時に展開することが決定されるなら、両方のネットワークは１つの論理的通信環境とみなされる。
端末ネットワークのアドレスは、各端末に自分自身のアドレスを送受信させることにより、或は、プロキシサーバに照会することにより得られる。最初のＣＳ或はＰＳの通信セションが確立されるや否や、端末のアプリケーション（ＲＣＡ）は、第２の接続、即ち、ＰＳ或はＣＳがセットアップされねばならないかどうかをネゴシエーションする処理を開始する。
ペーセン等（Pecen et al.）による特許文献２は、ＰＳデータに対する転送チャネルとして主要な専用制御チャネル（ＤＣＣＨ）を用いる基地局制御局（ＢＳＣ）を有することによりデュアル端末モード（ＤＴＭ）クラスＡ（１個のトランシーバ）のＧＳＭ端末をＣＳとＰＳのネットワークにより同時に通信させるシステムと方法について記載している。これにより、ＣＳの呼が進行中には監視されない専用呼出チャネル（ＰＧＣＨ）を介して通常、ＰＳデータを受信するＤＴＭ端末がＣＳの呼が同時進行中に到来するＰＳデータメッセージを受信し処理することを可能にしている。
【手続補正３】
【補正対象書類名】明細書
【補正対象項目名】００１３
【補正方法】変更
【補正の内容】
【００１３】
上記これらの例のすべてにおいて、ＣＳの呼とＰＳセションとの間の関連を、その関連がユーザ機器またはネットワークに対して目立った遅延なしに簡単且つ確実に知られるように決定することが望ましい。さらに、ＰＳセションに関して発生する費用は、ユーザのＣＳの呼に関連して信頼できる方法で課金されることがユーザに対して保証されるべきである。
【特許文献１】国際公開第０３／００３７６７号パンフレット
【特許文献２】米国特許出願公開第２００３／０１９９２７３号明細書
【国際調査報告】
2008508753.tif 000006
2008508753.tif 000007